(57)【要約】【課題】  作業者がほぼ真直ぐな姿勢で食器等の洗浄作業を行うことが可能な可動型流しユニットを提供する。【解決手段】  昇降エアシリンダ１６を介して昇降可能な昇降式台枠１１の昇降枠１４上に、奥行きが台枠１１より大きい流し台２１を、その下後角部の昇降枠１４の上後角部に対するヒンジ２０による枢着を介して、前傾可能に取り付けて支持するとともに、昇降枠１４の前部（前側の脚１５）に、ブラケット２５を介して、ピストンロッド２３の上端部に流し台２１の下面前部に昇降係合する転動輪２４を付設した前傾エアシリンダ２２を取り付ける。【選択図】      図１
2006068405.tif 000002
【特許請求の範囲】
【請求項１】
昇降式台枠の昇降枠上に、流し台を、下面後部の昇降枠の上後角部に対する枢着を介して、前傾揺動可能に支持するとともに、台枠の昇降枠の前部に、上端部が流し台の下面前部に昇降係合する昇降ロッドを有する流し台前傾操作手段を取り付けてなる、可動型流しユニット。
【請求項２】
流し台前傾操作手段の昇降ロッドの上端部に、流し台の下面前部に前後方向に転動可能に係合する転動輪を設けてなる、請求項１記載の可動型流しユニット。
【発明の詳細な説明】
【技術分野】
【０００１】
この発明は、特に飲食業関係の厨房で用いるのに適した、流し台（シンク）が移動可能な可動型流しユニットの改良に関する。
【背景技術】
【０００２】
この種の可動型流しユニットとしては、基枠とともに昇降式台枠を構成する昇降枠上に、流し台を支持したものが知られている（例えば、特許文献１参照）。
【０００３】
この公知の流しユニットは、台枠の昇降枠の昇降を介して、流し台の高さを調節することにより、食器等の洗浄作業を楽な姿勢で行うことを目的としたもので、ある程度の効果が得られているものの、流し台における食器等の洗浄作業は、周囲への水の飛散を防止する点から、その中央部で行うため、作業者は前屈みの姿勢になり易く、従って腰部等を痛めやすいという問題がある。
【特許文献１】実開平７-３０７６９号公報
【発明の開示】
【発明が解決しようとする課題】
【０００４】
この発明は、公知のものに認められる上記のような問題に鑑み、作業者がほぼ真直ぐな姿勢で洗浄作業を行うことが可能な可動型流しユニットを提供することを課題としている。
【課題を解決するための手段】
【０００５】
この発明によれば、上記の課題は、特許請求の範囲の請求項１に記載のごとく、昇降式台枠の昇降枠上に、流し台を、下面後部（下面後端すなわち下後角部を含む）の昇降枠の上後角部（上面後端）に対する枢着を介して、前傾（前下がり）揺動可能に支持するとともに、台枠の昇降枠の前部に、上端部が流し台の下面前部に昇降係合する昇降ロッドを有する流し台前傾操作（駆動）手段を取付けてなる、可動型流しユニットによって解決する。
【０００６】
特許請求の範囲の請求項２に記載のように、流し台前傾操作手段の昇降ロッドの上端部に、流し台の下面前部に前後方向に転動可能に係合する転動輪（転動ローラ）を設けることが望ましい。
【発明の効果】
【０００７】
この発明に係る特許請求の範囲の請求項１に記載の流しユニットによれば、流し台は、昇降式台枠の昇降枠の昇降によって、高さを調節することができるとともに、流し台前傾操作手段による前傾によって、その中央部を作業者側に移動することができるので、作業者は実質上真直ぐな姿勢で洗浄作業を行うことができる。従って腰痛等になる恐れは大幅に軽減される。
【０００８】
特許請求の範囲の請求項２に記載の流し台前傾操作手段の昇降ロッドの上端部における転動輪の配設構成によれば、昇降ロッドの昇降に伴う流し台の下面前部に対する前後方向への係合移動が円滑に行われる。
【発明を実施するための最良の形態】
【０００９】
以下図面に基づいて、この発明に係る可動型流しユニットの好適な実施形態について説明する。
【００１０】
図示した形態では、昇降式台枠１１は、前後左右の４本の脚１３付きの方形の基枠１２と、基枠１２の各脚１３に嵌合して前後左右の４本の伸縮脚を形成する前後左右の４本の脚１５付きでかつ上端の方形状の周枠部が流し台の好適な最大の前傾角度に対応する前下がり角度で前後にのびる昇降枠１４を備えているとともに、台枠１１内において前後左右の各伸縮脚に沿って上下にのびる台枠昇降操作(駆動)手段としての前後左右の４個の昇降エアシリンダ１６を備えている。
【００１１】
各昇降エアシリンダ１６は、昇降エアシリンダ本体の下端部が基枠１２の脚１３の下部にブラケット１８を介して固定されている一方、上方にのびる昇降ロッドとしてのピストンロッド１７の上端が、昇降枠１４の脚１５の上端部に隣接する、昇降枠１４の上端の周枠部に取り付けてある。
【００１２】
流し台２１は、奥行きが台枠１１のそれよりも大きいとともに前底部の一側部（隅部）に排水口（図示せず）を有する方形のボックス状で、台枠１１の昇降枠１４の上端上に、前端部が台枠１１の前端を越えて前方に突出するとともに下後角部が昇降枠１４の上後角部にヒンジ２０を介して前傾可能に枢着した状態で、支持されている。
【００１３】
また流し台２１の台枠１１の前端を超えて前方へのびる前端部の左右の両端部の直下部には、昇降枠１４の前側の左右の脚１５にブラケット２５を介して、左右一対の流し台前傾操作手段としての左右一対の前傾エアシリンダ２２が、昇降ロッドとしてのピストンロッド２３を含めて、上下にのびるように取り付けられており、ピストンロッド２３の上端部は、該部に付設したキャスタ型の転動輪２４を介して、流し台２１の左右の前端部の下面部に、前後方向に移動可能に当接している。
【００１４】
この図示の形態は、四つの昇降エアシリンダ１６のピストンロッド１６の一斉の伸縮操作による台枠１１の昇降枠１４の適宜の昇降状態において、食器などの洗浄用の水液漬け時には、左右の前傾エアシリンダ２２のピストンロッド２３の同時の伸長操作によって、洗い台２１を実線で示すような水平な状態にする一方、通常の食器等の洗浄時には、流し台２１を、二つの前傾エアシリンダ２２のピストンロッド２３の収縮操作による前端部の追随下降によって、ヒンジ２０を支点に揺動して、台枠１１の昇降枠１４の上端の周枠部に当接して支持されるまでの適宜の角度に前傾させた状態（図１には昇降枠１４の上端の周枠部に当接支持される前傾状態が一点鎖線で示してある）にするという形で使用する。なお不使用時には、流し台２１は、前記の水平な状態か、前傾状態（特に図１に一点鎖線で示す昇降枠１４の上端の周枠部に当接支持される状態）のいずれかにする。
【００１５】
この発明に係る流しユニットは、昇降エアシリンダを、台枠の左右の前後方向中央部や前後の左右方向の中央部に、左右又は前後一対の形で設けたり、前傾エアシリンダを、左右方向の中央部に一つ設けるほか、流し台前傾操作手段や台枠昇降操作手段として、エアシリンダ以外の流体圧シリンダや、ねじジャッキ類を使用したり、さらには、流し台の台枠の昇降枠の上後角部に対するヒンジによる枢着を、その下後角部から前方側の任意の前部位置で行う（この場合流し台は台枠の昇降枠の後端を超えて後方に突出する状態になる）など、種々の形態で実施することができるもので、上記の形態に限定されるものでないことはもちろんである。
【図面の簡単な説明】
【００１６】
【図１】この発明に係る可動型流しユニットの好適な実施形態の略側面図である。
【図２】図１に示す実施形態の略正面図である。
【符号の説明】
【００１７】
１１  台枠
１２  基枠
１３  脚
１４  昇降枠
１５  脚
１６  昇降エアシリンダ
１７  ピストンロッド
１８  ブラケット
２０  ヒンジ
２１  流し台
２２  前傾エアシリンダ
２３  ピストンロッド
２４  転動輪
２５  ブラケット
【図１】
2006068405.tif 000003
【図２】
2006068405.tif 000004